(57)【特許請求の範囲】
【請求項１】
アクセル開度を検出するアクセル開度検出手段と、
車速を検出する車速検出手段と、
発進から停車までの走行状況を発進プロセス、巡航プロセス、及び、減速停車プロセスのいずれかのプロセスに区分する走行状況判定手段と、
各プロセスのアクセル操作を数値として評価する評価手段と、
前記各プロセスのみの前記数値の大きさを各プロセスに対応した３つの軸上に示すチャートを表示するチャート表示手段と、
を有することを特徴とする燃費情報提供装置。
【請求項２】
前記チャート表示手段は、各プロセスの前記数値から総合的な評価点を算出し表示する、ことを特徴とする請求項１記載の燃費情報提供装置。
【請求項３】
前記走行状況判定手段は、車速がゼロより大きくなってから車速がある範囲に入るまでを発進プロセス、車速が前記範囲に入ってからアクセル開度がゼロになるまでを巡航プロセス、アクセル開度がゼロになってから車速がゼロになるまでを減速停車プロセス、に走行状況を区分する、
ことを特徴とする請求項１又は２記載の燃費情報提供装置。
【請求項４】
前記走行状況判定手段は、アクセル開度がゼロになった後、車速がゼロになるまでにアクセル開度がゼロより大きくなると、減速停車プロセスから巡航プロセスに遷移したと判定する、
ことを特徴とする請求項３記載の燃費情報提供装置。
【請求項５】
前記評価手段は、車速に対応づけられた上限のアクセル開度に対する現在のアクセル開度の比率に基づき、発進プロセスの前記数値を決定する、
ことを特徴とする請求項１〜４いずれか１項記載の燃費情報提供装置。
【請求項６】
前記評価手段は、アクセル開度の変動量の積算値に基づき、巡航プロセスの前記数値を決定する、
ことを特徴とする請求項１〜５いずれか１項記載の燃費情報提供装置。
【請求項７】
前記評価手段は、アクセル開度がゼロになってから車速が所定値になるまでの時間に基づき、減速停車プロセスの前記数値を決定する、
ことを特徴とする請求項１〜６いずれか１項記載の燃費情報提供装置。
【請求項８】
前記評価手段は、減速停車プロセスから巡航プロセスに遷移した場合、減速停車プロセスになるまでの前記積算値に、巡航プロセスに遷移した後のアクセル開度の変動量を積算して、巡航プロセスの前記数値を決定する、
ことを特徴とする請求項６項記載の燃費情報提供装置。
【請求項９】
前記評価手段は、車両がエネルギー回生中の場合、アクセル開度の変動量の積算を中断する、ことを特徴とする請求項６項記載の燃費情報提供装置。
【請求項１０】
各プロセスの過去の前記数値を記憶した数値記憶手段と、
各プロセスの過去の前記数値に統計処理を施す統計処理手段と、を有し、
前記チャート表示手段は、前記数値と共に、統計処理された過去の前記数値をプロセスに対応した軸上に示す、
ことを特徴とする請求項１記載の燃費情報提供装置。
【請求項１１】
乗員の操作を受け付ける操作受け付け手段を有し、
前記統計処理手段は、前記操作受け付け手段が操作を受け付けると、各プロセスの過去の前記数値に統計処理を施し、
前記チャート表示手段が、統計処理された過去の前記数値を各プロセスに対応した軸上に示す、
ことを特徴とする請求項１０記載の燃費情報提供装置。
【請求項１２】
前記チャート表示手段がチャートを表示する際、前記数値に応じたアドバイスを出力する、ことを特徴とする請求項１〜１１いずれか１項記載の燃費情報提供装置。
【請求項１３】
前記チャートは、３つの葉から成る複葉の形状を有し、３つの葉の中心から各葉の長手方向に３つの軸を取る、
ことを特徴とする請求項１〜１２いずれか１項記載の燃費情報提供装置。
【請求項１４】
アクセル開度情報及び車速情報を取得する情報取得手段と、
発進から停車までの走行状況を発進プロセス、巡航プロセス、及び、減速停車プロセスのいずれかのプロセスに区分する走行状況判定手段と、
各プロセスのアクセル操作を数値として評価する評価手段と、
前記各プロセスのみの前記数値の大きさを各プロセスに対応した３つの軸上に示すチャートを表示装置に表示させる表示制御手段と、
を有することを特徴とする電子制御ユニット。
【請求項１５】
アクセル開度検出手段がアクセル開度を検出するステップと、
車速検出手段が、車速を検出するステップと、
走行状況判定手段が、発進から停車までの走行状況を発進プロセス、巡航プロセス、及び、減速停車プロセスのいずれかのプロセスに区分するステップと、
評価手段が、各プロセスのアクセル操作を数値として評価するステップと、
チャート表示手段が、前記各プロセスのみの前記数値の大きさを各プロセスに対応した３つの軸上に示すチャートを表示するステップと、
を有することを特徴とする燃費情報提供方法。
【発明の詳細な説明】
【技術分野】
【０００１】
本発明は、燃費情報を乗員に提供する燃費情報提供装置等に関する。
【背景技術】
【０００２】
環境意識の高まりなどを背景に省燃費運転を心がける運転者が増えている。また、車両メーカも環境に配慮して、瞬間燃費計やエコランプを搭載した車両を増やしている。しかしながら、瞬間燃費計は数値で燃費を表すので運転者は省燃費運転が達成できているか否かを判断しにくい。また、エコランプは、燃料消費の少ない経済的なアクセル操作を行っている間だけ点灯するインジケータなので、運転者にとってはある瞬間のアクセル操作が良いか悪いかの二値情報しか得られない。
【０００３】
そこで、燃料消費の傾向をより詳細に運転者に通知する技術が考えられている（例えば、特許文献１，２参照。）。特許文献１には、高速走行、一般道路、アイドル走行の走行状況別に燃料消費量を記憶しておき、各走行状況の燃料消費割合に応じて、走行状況毎の運転操作を評価する省燃費運転評価装置が開示されている。
【０００４】
また、特許文献２には、安定走行、加減速、車内環境、注意判断及び駐停車といった５個の傾向項目の採点結果を、５軸のレーダチャートで表示する運転診断情報提供装置が開示されている。
【先行技術文献】
【特許文献】
【０００５】
【特許文献１】特開２００３−３２８８４５号公報
【特許文献２】特開２０１０−０３８６４５号公報
【発明の概要】
【発明が解決しようとする課題】
【０００６】
しかしながら、特許文献１のように走行状況を高速走行、一般走行、アイドル走行に区分したり、特許文献２のように安定走行、加減速、車内環境、注意判断及び駐停車に区分することは適切でないという問題がある。例えば、高速走行と一般走行はほぼどちらか一方が継続的な走行状況となるため、これらを一覧表示することは運転者の省燃費運転に有効とは限らない。一覧表示すべき項目としては、例えば、発進から停止までのようにほぼ必ず遷移する走行状況を区分し、各走行状況毎の燃費情報を一覧表示することが適切と考えられる。
【０００７】
同様なことは特許文献２に対しても指摘でき、車内環境、注意判断及び駐停車が、例え燃費に影響するとしても、加減速のように燃費に直接影響する指標と共に一覧表示する必要性は低い。また、５つの軸があるチャートでは、運転者が信号待ちなどの短い時間に学習するには情報量が多すぎるおそれがある。
【０００８】
本発明は、上記題に鑑み、一覧表示することが適切でかつ燃費への影響が大きい走行状況毎に燃費情報を一覧して提供する燃費情報提供装置、電子制御ユニット及び燃費情報提供方法を提供することを目的とする。
【課題を解決するための手段】
【０００９】
上記課題に鑑み、本発明は、アクセル開度を検出するアクセル開度検出手段と、車速を検出する車速検出手段と、発進から停車までの走行状況を発進プロセス、巡航プロセス、及び、減速停車プロセスのいずれかのプロセスに区分する走行状況判定手段と、各プロセスのアクセル操作を数値として評価する評価手段と、前記各プロセスのみの前記数値の大きさを各プロセスに対応した３つの軸上に示すチャートを表示するチャート表示手段と、を有することを特徴とする燃費情報提供装置を提供する。
【発明の効果】
【００１０】
一覧表示することが適切でかつ燃費への影響が大きい走行状況毎に燃費情報を一覧して提供する燃費情報提供装置、電子制御ユニット及び燃費情報提供方法を提供することができる。
【図面の簡単な説明】
【００１１】
【図１】燃費情報提供装置の概略を説明する図の一例である。
【図２】燃費情報提供装置の概略構成図の一例である。
【図３】Ｆｌａｇに表される車両の状態の遷移図の一例である。
【図４】プロセス判定部が走行状況を３つのプロセスに区分する手順を示すフローチャート図の一例である。
【図５】評価点算出部が発進評価点を算出する手順を示すフローチャート図の一例である。
【図６】発進評価点を算出するための算出マップを説明する図の一例である。
【図７】評価点算出部が巡航評価点を算出する手順を示すフローチャート図の一例である。
【図８】巡航評価点の算出を模式的に説明する図の一例である。
【図９】評価点算出部が減速停車評価点を算出する手順を示すフローチャート図の一例である。
【図１０】減速停止評価点を算出するための基準停車時間マップの一例を示す図である。
【図１１】アイドリング時間の計測手順を示すフローチャート図の一例である。
【図１２】レーダチャートの一例を示す図である。
【図１３】レーダチャート表示部がレーダチャートを表示する手順を示すフローチャート図の一例である。
【図１４】燃費情報提供装置の概略構成図の一例である（実施例２）。
【図１５】過去評価点記憶部に記憶された評価点を模式的に示す図の一例である。
【図１６】レーダチャートの一例を示す図である（実施例２）。
【図１７】レーダチャート表示部がレーダチャートを表示する手順を示すフローチャート図の一例である。
【発明を実施するための形態】
【００１２】
以下、本発明を実施するための形態について図面を参照しながら説明する。
【実施例１】
【００１３】
図１は、本実施形態の燃費情報提供装置１００の概略を説明する図の一例である。燃費情報提供装置１００は走行中の車両の走行状況を３つのプロセスに区分する。１つは「発進プロセス」、１つは「巡航プロセス」、１つは「減速停車プロセス」である。燃費情報提供装置１００は、走行状況をいずれかのプロセスに区分する。
【００１４】
そして、燃費情報提供装置１００は、プロセス毎にアクセルペダルの操作（以下、「アクセル操作」という）を監視し、燃費が向上するアクセル操作ほど高い点数になるようアクセル操作を評価する。車両が走行している間、燃費情報提供装置１００はプロセスの判定とアクセル操作の監視を継続している。「発進プロセス」の点数を発進評価点、「巡航プロセス」の点数を巡航評価点、「減速停車プロセス」の点数を減速停車評価点、という（これらを区別しない場合、単に「評価点」という）。なお、最高の評価点は固定値（例えば、１００点）である。
【００１５】
例えば、車両が停止したタイミングで、燃費情報提供装置１００はプロセス毎の評価点をレーダチャートにて提示する。レーダチャートは３つの軸を有し、各軸に発進評価点、巡航評価点、減速停車評価点のそれぞれが、中心Ｏを基準に表示される。図１では、星印が評価点である。運転者は、星印が中心Ｏからどのくらい離れているかにより、自分のアクセル操作に対する評価を把握することができる。
【００１６】
したがって、本実施形態の燃費情報提供装置１００によれば、発進から停車まで車両の運転時にはほぼ必ず遷移する走行状況を３つのプロセスに区分して、各プロセスの燃費情報を一覧表示することができる。軸が３つしかないので、運転者はレーダチャートを見ることでどのプロセスの燃費が良くなかったかを一目で把握でき、次の走行にすぐに活かすことができる。
【００１７】
図２は、燃費情報提供装置１００の概略構成図の一例を示す。燃費情報提供装置１００は、メータＥＣＵ（Electronic  Control  Unit）１３により制御され、メータＥＣＵ１３には、ＣＡＮ（Controller  Area  Network）やＦｌｅｘＲａｙ等の車載ＬＡＮを介して、アクセル開度センサ１１、車速センサ１２が接続されている。また、メータＥＣＵ１３にはエコインジケータ１４及びスピーカ１５が接続されている。なお、燃費情報提供装置１００は、メータＥＣＵ１３以外のナビＥＣＵ等により制御されてもよく、メータＥＣＵ１３は一例に過ぎない。
【００１８】
アクセル開度センサ１１は、例えばエンジンＥＣＵ（不図示）と接続されておりイグニッションがオン（ハイブリッド車や電気自動車の場合はメインシステムがオン）の状態になると、所定のサイクル時間毎にアクセル開度を検出して、アクセル開度情報を車載ＬＡＮに送出する。
【００１９】
また、車速センサ１２は、４つの車輪の各輪毎に設けられ、単位時間当たりの車輪の回転量を所定のサイクル時間毎にパルス数により検出して、それを車速情報に変換して車載ＬＡＮに送出する。車速センサ１２は、例えばブレーキＥＣＵ（不図示）と接続されている。
【００２０】
メータＥＣＵ１３は、車載ＬＡＮを介して送信されたアクセル開度情報及び車速情報を受信して、レーダチャートを生成する。メータＥＣＵ１３は、ＣＰＵ、ＲＡＭ，ＲＯＭ、ディスプレイコントローラ、通信コントローラ、入力インタフェース、出力インタフェース等を備えたコンピュータである。ＲＯＭにはプログラムが記憶されており、ＣＰＵがプログラムを実行し、ハードウェアと協働することで以下の特徴的な各機能が実現される。
【００２１】
メータＥＣＵ１３は、プロセス判定部２１、評価点算出部２２、レーダチャート表示部２３を有する。プロセス判定部２１は、走行状況が「発進プロセス」、「巡航プロセス」、又は、「減速停車プロセス」のいずれであるかを判定する。評価点算出部２２は各プロセス毎に評価点を算出する。レーダチャート表示部２３は、評価点を星印などのマークで表してレーダチャートをエコインジケータ１４に表示する。
【００２２】
エコインジケータ１４は、メータパネルの一部に設けられたレーダチャートの専用の表示エリア、メータパネルの液晶表示部の全体若しくは一部、又は、ＨＵＤ（Head-Up  Display）などである。エコインジケータ１４の一部又は別の液晶表示部などには、省燃費運転に誘導するアドバイスが表示される。また、スピーカ１５からも同様のアドバイスが音声により出力される。
【００２３】
〔プロセスの判定〕
本実施例では、プロセス判定部２１は車両の状態をＦｌａｇで管理する。
図３は、Ｆｌａｇに表される車両の状態の遷移図の一例である。Ｆｌａｇには待機状態、発進状態、巡航状態、又は、減速停車状態が設定される。Ｆｌａｇは、ＲＡＭやＲＯＭ等のメモリに記憶される情報の一種であり、本実施例では４つの状態を識別するための容量があればよい。
【００２４】
待機状態は、３つのプロセスのいずれでもない初期状態を意味する。運転者は主に待機状態の間にレーダチャートを目視する。なお、待機状態では、後述するようにアイドリング時間が計測される。Ｆｌａｇに発進状態が設定された状態では発進評価点が算出され、Ｆｌａｇに巡航状態が設定された状態では巡航評価点が算出され、Ｆｌａｇに減速停車状態が設定された状態では減速停車評価点が算出される。したがって、Ｆｌａｇが発進状態であることは走行状況が「発進プロセス」であることと、Ｆｌａｇが巡航状態であることは走行状況が「巡航プロセス」であることと、Ｆｌａｇが減速停車状態であることは走行状況が「減速停車プロセス」であることと、同義となる。
【００２５】
図３の矢印は、各状態の遷移方向を示す。したがって、図示するように、Ｆｌａｇの状態は、待機状態から発進状態に、発進状態から巡航状態に、巡航状態から減速停車状態に、減速停車状態から待機状態又は巡航状態に、遷移する。各状態の遷移については図４のフローチャート図を用いて説明する。
【００２６】
図４は、プロセス判定部２１が走行状況を３つのプロセスに区分する手順を示すフローチャート図の一例である。図４の手順はイグニッションがオンの状態になると繰り返し実行される。
【００２７】
まず、イグニッションがオンになった直後、プロセス判定部２１はＦｌａｇを待機状態に設定する（Ｓ１０）。
【００２８】
プロセス判定部２１は、サイクル時間毎に受信される車速情報に基づき、車速が増加したか否かを判定する（Ｓ２０）。車速が増加したか否かを判定する車速の基準値は、例えば、１〜１０〔ｋｍ／ｈ〕位の停車していないことが明かな車速である。
【００２９】
車速が増加しない場合（Ｓ２０のＮｏ）、車両は停車したままなので、プロセス判定部２１は車速情報に基づきステップＳ２０の判定を繰り返す。
【００３０】
車速が増加した場合（Ｓ２０のＹｅｓ）、車両が発進したことになるので、プロセス判定部２１は、Ｆｌａｇを発進状態に設定する（Ｓ３０）。
【００３１】
プロセス判定部２１は、継続的に車速情報を監視して、「車速が増加せず、かつ、車速が２０〔ｋｍ／ｈ〕を超えたか」否かを判定する（Ｓ４０）。ステップＳ４０は、車両が「巡航プロセス」に遷移したか否かの判定に相当する。この条件は車速が２０〔ｋｍ／ｈ〕以上で低下し始めたこと（車速がある範囲に入ったこと）を意味する。後半の条件である「車速が２０〔ｋｍ／ｈ〕を超えたか否かは一例であり、例えば、３０〔ｋｍ／ｈ〕〜８０〔ｋｍ／ｈ〕を超えたか否かを判定の基準にしてもよい。また、路車間通信などにより路側装置から受信した制限速度又はナビ地図ＤＢから読み出した制限速度や、それよりもやや低い速度を判定の基準にしてもよい。
【００３２】
ステップＳ４０の条件が満たされない間（Ｓ４０のＮｏ）、Ｆｌａｇは発進状態なので、プロセス判定部２１は、「発進プロセス」であると判定している。
【００３３】
ステップＳ４０の条件が満たされた場合（Ｓ４０のＹｅｓ）、プロセス判定部２１は、Ｆｌａｇを巡航状態に設定する（Ｓ５０）。プロセス判定部２１は、現在「巡航プロセス」であると判定する。
【００３４】
この後、運転者がアクセル操作で車速を調整している間、プロセス判定部２１は、現在「巡航プロセス」であるという判定を継続する。
【００３５】
運転者が車両を停止させる場合、アクセルペダルから脚を離すと考えられる。このため、プロセス判定部２１は、アクセル開度情報に基づきアクセル開度がゼロになったか否かを判定する（Ｓ６０）。
【００３６】
アクセル開度がゼロになるまでの間（Ｓ６０のＮｏ）、Ｆｌａｇは巡航状態なので、プロセス判定部２１は、「巡航プロセス」であると判定している。
【００３７】
アクセル開度がゼロになった場合（Ｓ６０のＹｅｓ）、プロセス判定部２１は、Ｆｌａｇを減速停車状態に設定する（Ｓ７０）。プロセス判定部２１は、現在「減速停車プロセス」であると判定する。
【００３８】
運転者は、アクセルペダルから脚を離しても停車することなく、再度、アクセル操作することがあるので、プロセス判定部２１はアクセル開度情報を監視して、アクセル開度がゼロであるか否かを判定する（Ｓ８０）。
【００３９】
ステップＳ８０の判定の結果、アクセル開度がゼロでない場合（Ｓ８０のＮｏ）、プロセス判定部２１は、Ｆｌａｇを巡航状態に設定する（Ｓ５０）。プロセス判定部２１は、現在「巡航プロセス」であると判定する。
【００４０】
ステップＳ８０の判定の結果、アクセル開度がゼロの場合（Ｓ８０のＹｅｓ）、プロセス判定部２１は、車速情報に基づき車両が停止したか否かを判定する（Ｓ９０）。このように、プロセスが「減速停車プロセス」の場合、プロセス判定部２１は、車両が停止したか否かを判定する。これは、レーダチャートを表示するタイミングを検出するためである。
【００４１】
車両が停止するまでの間（Ｓ９０のＮｏ）、プロセス判定部２１はステップＳ８０の判定を繰り返すので、運転者が再度、アクセル操作を開始した場合は「巡航プロセス」となる。
【００４２】
車両が停止した場合（Ｓ９０のＹｅｓ）、プロセス判定部２１はレーダチャート表示部２３にレーダチャートの更新を要求する（Ｓ１００）。レーダチャート表示部２３は、インジケータにレーダチャートを表示する。このように運転者は、発進から停止までの燃費情報を１つのレーダチャートに表示することができる。
【００４３】
なお、プロセス判定部２１は、Ｆｌａｇを待機状態に設定する（Ｓ１１０）。そして、手順はステップＳ１０に戻り、図４の手順が繰り返される。
【００４４】
〔発進評価点の算出〕
図５は、評価点算出部２２が発進評価点を算出する手順を示すフローチャート図の一例である。評価点算出部２２はＦｌａｇを監視して、Ｆｌａｇに発進状態が設定されると図５の手順に基づく発進評価点の算出を開始する。
【００４５】
評価点算出部２２はＦｌａｇが発進状態の間、Ｓ２１０の処理を実行する。図６（ａ）は発進評価点を算出するための算出マップを説明する図の一例であり、図６（ｂ）はＥＣＯゾーン値を説明する図の一例である。
【００４６】
まず、ＥＣＯゾーン値について説明する。ＥＣＯゾーン値は、理想的な省燃費運転を達成するアクセル開度に対する、実際のアクセル開度の割合をパーセント表示した値である。ＥＣＯゾーン値が０〜１００％の範囲を、アクセル操作が省燃費運転に適した範囲であるという意味でＥＣＯゾーンという場合がある。
ＥＣＯゾーン値＝１００×（実際のアクセル開度／理想的な省燃費運転の際のアクセル開度）  〔％〕
図６（ｂ）は理想的な省燃費運転の際のアクセル開度を決定するためのマップである。図６（ｂ）は横軸が車速、縦軸がアクセル開度〔％〕である。上限値は、現在の車速に対応する理想的なアクセル開度の上限を示すので、上限値を結んだ線以下の領域は、省燃費運転が達成されているアクセル開度となる。アクセル開度でなく、現在の車速に加速度を対応づけてもよい。
【００４７】
評価点算出部２２は、車速情報を受信する毎、又は、所定のサイクル時間毎に、図６（ｂ）のマップを参照して理想的な省燃費運転の際のアクセル開度を読み出す。なお、安定した車速情報とするために、いくつかの速度情報の平均や移動平均を用いてもよい。
【００４８】
評価点算出部２２は、アクセル開度情報を受信する毎、又は、所定のサイクル時間毎に、現在のアクセル開度を検出する。なお、安定したアクセル開度情報とするために、いくつかのアクセル開度情報の平均や移動平均を用いてもよい。
【００４９】
こうすることで、評価点算出部２２は上記の式からＥＣＯゾーン値を算出する。現在のアクセル開度が上限値以下の場合、ＥＣＯゾーン値は１００％以下になる。いわゆる従来のＥＣＯランプの場合、ＥＣＯゾーン値が１００％以下であれば点灯される。なお、この上限値は車種やエンジンの型によって変わる値である。
【００５０】
なお、ハイブリッド車の場合は、エンジン出力の上限値に加え、モータでの走行の限界を示す出力が上限値として定められる。モータ側の上限値はモータ走行可能なトルク範囲を意味し運転者がモータを有効に活用していることを意味する。モータ側の上限値はエンジン側の上限値よりも小さいことが多い。このためハイブリッド車の場合は、二種類のＥＣＯゾーン値を算出することができる。本実施例では説明を容易にするため、エンジン側の上限値に対するＥＣＯゾーン値を使用する。なお、モータ側の上限値は、モータ特性、モータ温度、電池のＳＯＣ（State  of  Charge）、充電状態）に応じて変化する。
【００５１】
また、ハイブリッド車の場合、エネルギー回生が可能なので、アクセル開度がゼロでない状況でも（アクセル開度を現状より小さくする戻す場合）、ほとんど燃料を消費しない状態やエネルギーを蓄える状態が存在する。この場合のＥＣＯゾーン値は0以下であるので、負値になる場合もある。
【００５２】
評価点算出部２２はこのようにしてＥＣＯゾーン値を算出して、図６（ａ）の算出マップの横軸の値を特定する。図６（ａ）ではＥＣＯゾーン値に対し、点数が割り当てられている。ＥＣＯゾーン値が１００％以下では省燃費運転が実現されているので、８０点以上の点数が対応づけられており、より燃費効率が優れるＥＣＯゾーン値が６０〜１００％の間では、８０〜１００点の点数が対応づけられている。また、燃費効率が急激に下がるＥＣＯゾーン値が１００％超の領域では点数が急激に下がり、１２０％でゼロになっている。
【００５３】
評価点算出部２２は、このように定めた算出マップを利用して、所定のサイクル時間毎に点数を読み出す。時系列の点数をｔ１，ｔ２，ｔ３，ｔ４…とし、これらの点数から発進評価点を算出する。算出方法はいくつかあるが、例えば点数の平均値を発進評価点とすることができる。なお次式の「ｎ」は点数の数である。
発進評価点＝（ｔ１＋ｔ２＋ｔ３＋ｔ４…）／ｎ
また、最も悪い方の点数から数点抽出し、その平均を発進評価点としてもよい。このような算出方法は、燃費効率の悪いアクセル操作を優先的に点数化して運転者に矯正を促す際に有効である。
【００５４】
また、中央値や平均値から所定の割合（例えば８０％）に含まれる点数のみを抽出し、その平均から発進評価点を算出してもよい。このような算出方法は、極端によい又は悪いアクセル操作を発進評価点の算出対象から除外できるので、比較的安定した発進評価点を運転者に提供できる。
【００５５】
図５に戻り、評価点算出部２２は、Ｆｌａｇに発進状態が設定されている間は、点数を時系列に記憶しておき、Ｆｌａｇに巡航状態が設定されると（Ｓ２２０のＹｅｓ）、発進評価点を算出し、ＲＡＭ等に記憶する（Ｓ２３０）。この後、評価点算出部２２は巡航評価点の算出処理を開始する。
【００５６】
〔巡航評価点の算出〕
図７（ａ）は、評価点算出部２２が巡航評価点を算出する手順を示すフローチャート図の一例である。評価点算出部２２はＦｌａｇを監視して、Ｆｌａｇに巡航状態が設定されると図７（ａ）の手順に基づく巡航評価点の算出を開始する。
【００５７】
評価点算出部２２はＦｌａｇが発進状態の間、図７（ａ）の処理を実行して巡航評価点を算出する。図７（ａ）手順は、アクセル開度の変動量を数値化する手順である。「巡航プロセス」でアクセル開度の増減を頻繁に行うことは燃費を悪化させるアクセル操作であると考えられるので、アクセル開度の変動量から巡航評価点が算出される。このように、巡航評価点には加速に関する評価点が含まれる。
【００５８】
アクセル開度がゼロより大きい場合（Ｓ３１０のＹｅｓ）、評価点算出部２２はサイクル時間毎にアクセル開度の変動量を積算する（Ｓ３２０）。なお、アクセル開度がゼロの場合（Ｓ３１０のＮｏ）は、プロセス判定部２１がＦｌａｇに減速停車状態を設定するため、巡航評価点を算出する必要はない。
【００５９】
図８（ａ）は、巡航評価点の算出を模式的に説明する図の一例である。評価点算出部２２は、定期的に（例えば、１００〜５００ミリ秒程度）アクセル開度を特定する。図ではＣ１〜Ｃ８が定期的に取得されたアクセル開度である。評価点算出部２２は、最後に取得したアクセル開度Ｃｉを記憶しておき、次に取得したアクセル開度Ｃi+1との差分ΔCを算出する。また、アクセル開度Ｃi+1も最後に取得したアクセル開度として記憶される。評価点算出部２２は、アクセル開度の差分ΔCの絶対値を積算する。
積算値＝Σ｜アクセル開度Ｃi+1−アクセル開度Ｃｉ｜＝Σ｜ΔC｜
運転者がアクセルペダルを踏み込むと差分ΔCは正値になるが、運転者がアクセルペダルを踏み戻すと差分ΔCは負値になる。このため、絶対値を取ることで、アクセル開度の変動量の正確な積算を可能にした。
【００６０】
図７（ａ）に戻り、評価点算出部２２は、Ｆｌａｇに減速停車状態が設定されると（Ｓ３１０のＮｏ）、積算値を巡航評価点に変換する（Ｓ３３０）。上記の算出方法によれば、「巡航プロセス」の時間が長いほど、積算値が大きくなるので燃費効率が悪いことになってしまう。そこで、評価点算出部２２は、まず、積算値を単位時間の積算値に変換する。評価点算出部２２は、差分ΔＣを積算した時間を5分、１０分、1時間などの決まった単位時間当たりの積算値に変換する。例えば、1分間の積算値がＣｎ、単位時間が５分である場合、単位時間の積算値は「Ｃｎ×５」である。３０分間の積算値がＣｎ、単位時間が５分である場合、単位時間の積算値は「Ｃｎ×１／６」である。
【００６１】
また、上記の算出方法によれば、積算値が大きいほど運転者のアクセル操作が大きく燃費効率が悪いことになる。したがって、積算値を例えば０〜１００の値に正規化しても、レーダチャートにおいて値が大きいほど燃費効率が悪いことになってしまう。
【００６２】
そこで、評価点算出部２２は、予め定めた変換テーブルを参照して、単位時間の積算値を巡航評価点に変換する。図８（ｂ）は積算値を巡航評価点に変換する変換テーブルの一例を示す図である。変換テーブルには単位時間の積算値が１０未満なら巡航評価点＝１００が、単位時間の積算値が１０以上２０未満なら巡航評価点＝９０が…、のように単位時間の積算値に巡航評価点が対応づけられている。また、単位時間の積算値が１００以上なら巡航評価点は０点である。
【００６３】
一般道路と高速道路ではアクセル操作が異なることが多いので、変換テーブルを一般道路と高速道路で分けてもよい。また、混雑状況が渋滞時と順調時とで変換テーブルを分けてもよい。
【００６４】
このように、単位時間の積算値が大きいほど小さい巡航評価点を対応づけることで、燃費効率がよいほど高い値をレーダチャートに表示することができる。評価点算出部２２は、積算値を巡航評価点に変換すると、ＲＡＭ等に記憶する。
【００６５】
なお、Ｆｌａｇに減速停車状態が設定されても車両が停車することなく、再度、Ｆｌａｇに巡航状態が設定されることがある。この場合は、レーダチャートに１つの「巡航プロセス」の巡航評価点をプロットするため、すでにＲＡＭに記憶した巡航評価点を破棄して、評価点算出部２２は、アクセル開度の差分ΔCの算出及び差分ΔＣの絶対値の積算を再開する。これにより、減速停車状態から巡航状態への加速の際のアクセル開度の変動量を巡航評価点に含めることができるようになる。
【００６６】
破棄した巡航評価点を算出するまでの積算値、積算回数（Ｆｌａｇに巡航状態が設定された状態の時間）はＲＡＭに記憶されている。こうすることで、Ｆｌａｇの状態が変化しても、「巡航プロセス」の巡航評価点を正確に算出することができる。
【００６７】
・ハイブリッド車の場合
ハイブリッド車に特有の巡航評価点の算出手順について図7（ｂ）のフローチャート図に基づき補足する。ハイブリッド車の場合、アクセル開度がゼロより大きい場合でも（Ｓ３１０のＹｅｓ）、運転者がアクセル開度を現状より小さくすることによりエネルギー回生を生じる場合がある。このため、ハイブリッド車の場合は、アクセル開度がゼロより大きい場合でも、さらにエネルギー回生していない場合にだけ、アクセル開度の変動量を積算することで、アクセル開度の変動量の積算値を燃料消費量に相関しやすくすることができる。
【００６８】
そこで、図7（ｂ）では、アクセル開度がゼロより大きい場合（Ｓ３１０のＹｅｓ）、かつ、ＥＣＯゾーン値がゼロより大きい場合にのみ（Ｓ３１５のＹｅｓ）、評価点算出部２２がサイクル時間毎にアクセル開度の変動量を積算することとした（Ｓ３２０）。エネルギー回生時には、ＥＣＯゾーン値がゼロ以下（０〜-１００）になるため、ステップＳ３１５の判定により、エネルギー回生していない場合にだけ、アクセル開度の変動量を積算することができる。
【００６９】
〔減速停車評価点の算出〕
図９は、評価点算出部２２が減速停車評価点を算出する手順を示すフローチャート図の一例である。評価点算出部２２はＦｌａｇを監視して、Ｆｌａｇに減速停車状態が設定されると図９の手順に基づく減速停車評価点の算出を開始する。
【００７０】
評価点算出部２２はＦｌａｇが減速停車状態の間、図９の処理を実行して減速停車評価点を算出する。図９の手順は、停車開始（アクセル開度＝０）から停車（速度＝０）までの時間を数値化する手順である。停車開始から停車までの時間（以下、減速停車時間という）が長いこと（アクセル開度＝０の時間が長いこと）は、エンジンの燃料カットにより燃料を消費しない状態で走行する距離が長くなることを意味する。これは、運転者がサービスブレーキ（フットブレーキ）をかけた場合も同様であるが、フットブレーキをかけない方が停車までの時間が長くなるので、燃費効率が向上する。また、時間をかけて停車することは、停止せずに再加速した場合の燃料消費量が少なくて済むことになる。
【００７１】
このように、減速停車時間が長いことは燃費効率がよいことを意味するので、評価点算出部２２は減速開始から停車までの時間に基づき減速停車評価点を算出する。
【００７２】
Ｆｌａｇに減速停車状態が設定されると評価点算出部２２は、減速停車評価点を算出するための変数を初期化する（Ｓ４１０）。変数は、減速開始から停車までの減速停車時間を計測する変数ｘ１と、減速開始車速を記憶するための変数ｘ２である。評価点算出部２２は、ｘ１にはゼロを、ｘ２にはＦｌａｇに減速停車状態が設定された直後の車速情報（以下、減速開始車速という）を設定する。
【００７３】
評価点算出部２２は、変数ｘ１に時間を積算して減速開始からの減速停車時間を計測する（Ｓ４２０）。
【００７４】
経過時間を計測しながら、評価点算出部２２は、車速がゼロになったか否かを判定する（Ｓ４３０）。車速がゼロになっていない場合（Ｓ４３０のＹｅｓ）、評価点算出部２２はＦｌａｇに巡航状態が設定されたか否かを判定する（Ｓ４４０）。すなわち、車速がゼロになるまでの間に運転者がアクセルペダルを踏み込むと、Ｆｌａｇに巡航状態が設定され（Ｓ４４０のＹｅｓ）、図９の手順は終了する。
【００７５】
Ｆｌａｇに巡航状態が設定されない場合（Ｓ４４０のＮｏ）、評価点算出部２２はステップＳ４２０の処理に戻り減速停車時間の計測を継続する。
【００７６】
そして、車速がゼロになった場合（Ｓ４３０のＮｏ）、プロセス判定部２１がＦｌａｇに待機状態を設定する（Ｓ４５０）。評価点算出部２２はＦｌａｇが待機状態なったことから、車両が停車したと判定し、減速停車評価点を算出する（Ｓ４６０）。
【００７７】
図１０は、減速停止評価点を算出するための基準停車時間マップの一例を示す図である。図１０では横軸に減速開始車速が、縦軸に基準停車時間がそれぞれ対応づけられている。基準停車時間は、ある減速開始車速において燃費効率に適した停車時間（例えば、それ以上停車時間を長くしても燃費向上効果が得られないか、ほとんどない）である。
【００７８】
評価点算出部２２は、変数ｘ２に記憶された減速開始車速に対応づけられた基準停車時間を読み出す。そして、基準停車時間に対する変数ｘ１の減速停車時間の割合のパーセント表示を減速停車評価点として算出する。但し、減速停車評価点が１００点以上の場合は１００点に置き換える。
減速停車評価点＝１００×減速停車時間／基準停車時間〔％〕
評価点算出部２２は、減速停車評価点をＲＡＭ等に記憶する。
【００７９】
なお、Ｆｌａｇに減速停車状態が設定されても車両が停車することなく、再度、Ｆｌａｇに巡航状態が設定された場合、評価点算出部２２は減速停車評価点を算出しない。停車しないので、基準停車時間も減速停車時間も定まらないためである。
【００８０】
図９に戻り、評価点算出部２２が減速評価点を算出すると、レーダチャート表示部２３がレーダチャートを表示する（Ｓ４７０）。
【００８１】
〔停車中の処理〕
評価点算出部２２は停車中の評価点を算出しないが、停車中のアイドリング時間が長いことは燃費を低下させる行為として知られている。そこで、評価点算出部２２は、Ｆｌａｇに待機状態が設定されている間、アイドリング時間を計測する。
【００８２】
図１１は、アイドリング時間の計測手順を示すフローチャート図の一例である。評価点算出部２２は、Ｆｌａｇに待機状態が設定されると、アイドリング時間の計測を開始する（Ｓ５１０）。評価点算出部２２は、Ｆｌａｇに発進状態が設定されるまで（Ｓ５２０のＮｏ）、アイドリング時間の計測を継続する。
【００８３】
なお、運転者がイグニッションをオフした場合、評価点算出部２２はアイドリング時間の計測を中断する。
【００８４】
Ｆｌａｇに発進状態が設定されると（Ｓ５２０のＹｅｓ）、図１１の処理は終了し、発進評価点の算出処理が実行される。
【００８５】
評価点算出部２２は、アイドリング時間を更新する毎にＲＡＭ等に記憶していく。したがって、アイドリング時間はリアルタイムに計測される。このアイドリング時間は、例えばレーダチャートと共に表示される。
【００８６】
〔レーダチャート〕  
図１２（ａ）はレーダチャートの一例を示す図である。レーダチャートは３つの軸を有し、各軸に発進評価点、巡航評価点及び減速停車評価点がプロットされる。図１２（ａ）のレーダチャートは、三つ葉のクローバの形状を意匠化したアイコンの各葉が３つの軸に対応している。各葉に１つずつ表示されたマーク３１〜３３が評価点を表す。三つ葉のクローバの中心Ｏが評価点の０点、各葉の外縁Ｅが評価点の１００点に対応する。マーク３１〜３３は、中心Ｏから外縁Ｅまでの間の、評価点の大きさに比例した位置にプロットされる。したがって、評価点が大きいほどマーク３１〜３３は外縁Ｅに近くなる。なお、マーク３１〜３３を表示することなく、マーク３１〜３３の位置までの葉の色を変えることで、評価点の大きさを表すこともできる。
【００８７】
図１２（ａ）ではほぼ１２時の方向に発進評価点、ほぼ４時の方向に減速停車評価点、ほぼ８時の方向に巡航評価点がプロットされているが、各評価点と軸の対応は一例である。また、運転者が、各評価点がプロットされる軸を設定することもできる。
【００８８】
図１２（ｂ）（ｃ）はレーダチャートの別の表示態様の一例を示す図である。図１２（ｂ）は図１とほぼ同様のレーダチャートである。このレーダチャートは、ほぼ正三角形の重心Ｏと３つの頂点Ｓを結ぶ線を軸に取っている。図１２（ａ）と同様に、マーク３１〜３３は、重心Oが０点、頂点Ｓが１００点として、評価点が大きいほど頂点Ｓに近い位置にプロットされる。
【００８９】
図１２（ｂ）のような表示態様は意匠性は低いが、各評価点をシンプルに運転者に提供することができる。なお、図１２（ｂ）ではアイドリング時間が表示されている。上記のようにアイドリング時間はリアルタイムに計測されているので、レーダチャート表示部２３は、刻々と変化するアイドリング時間をインジケータに表示する。運転者はアイドリング時間を見てアイドリングストップするためイグニッションをオフにすることができる。アイドリング時間の表示は図１２（ａ）（ｃ）の表示態様においても可能である。
【００９０】
図１２（ｃ）のレーダチャートは、３つの軸を平行に表示した態様となっている。評価点は棒グラフの長さで表され、評価点が大きいほど長い棒グラフが表示される。棒グラフ内の矩形状の範囲は、同一色やグラデーションをかけるなどして塗りつぶされた状態となる。なお、棒グラフにするのでなく、左側の端部を０点、右側の端部を１００点として、１つのマークで評価点を表してもよい。図１２（ｃ）のような表示態様ではインジケータが狭いスペースで表示できるので、車両のメータパネルなどに十分な表示スペースがない場合に有効である。
【００９１】
また、図１２（ｃ）では「総合評価  ７５points」と表示されている。レーダチャート表示部２３は、３つの評価点から総合的な評価点を算出し、レーダチャートと共に表示することができる。総合的な評価点は、３つの評価点の平均又は３つの評価点の合計などである。総合的な評価点は、図１２（ａ）（ｂ）の表示態様においても表示することができる。
【００９２】
また、このように総合的な評価点のみを数値化して表示するのでなく、図１２（ａ）〜（ｃ）の表示態様において、レーダチャートに加え各評価点を数値として表示してもよい。
【００９３】
また、燃費情報提供装置１００は、各評価点に応じて省燃費運転に有効なアドバイスをエコインジケータ１４に表示し、また、スピーカ１５から出力する。アドバイスを表示するか音声として出力するかは運転者が設定可能になっている。
【００９４】
燃費情報提供装置１００は、各評価点のある点数範囲毎（例えば、１０〜２０点毎）に、評価点に対応するアドバイスデータを記憶している。アドバイスデータと評価点の対応付けは、例えばテストドライバが道路を走行して定める。
【００９５】
燃費情報提供装置１００は、レーダチャートを表示する毎に、評価点に対応づけられたアドバイスデータを読み出し、スピーカ１６からアドバイスを出力する。レーダチャートには３つの評価点があるので、燃費情報提供装置１００は、例えば最も悪い評価点に対応づけられたアドバイスから優先的に出力する。評価点の悪い順にアドバイスが出力されている間に、車両が発進した場合、強制的に終了してもよいし、３つのアドバイスを全て出力してもよい。
【００９６】
アドバイスの内容は、比較的悪い発進評価点の場合、例えば「発進時の加速を緩やかにしましょう」であり、比較的よい発進評価点の場合、例えば「発進時のアクセル操作が省燃費運転になっています」である。また、比較的悪い巡航評価点の場合、例えば「巡航走行時のアクセル操作を少なくしましょう」であり、比較的よい巡航評価点の場合、例えば「巡航走行時のアクセル操作が省燃費運転になっています」である。また、比較的悪い減速停車評価点の場合、例えば「減速開始から停車までの時間を長くしましょう」であり、比較的よい減速停車評価点の場合、例えば「減速開始から停車まで省燃費運転になっています」である。
【００９７】
図１３は、レーダチャート表示部２３がレーダチャートを表示する手順を示すフローチャート図の一例である。
【００９８】
レーダチャート表示部２３は、Ｆｌａｇの状態を監視しており、Ｆｌａｇに待機状態が設定されると、レーダチャートの表示処理を開始する。
【００９９】
まずレーダチャート表示部２３は３つの評価点をＲＡＭ等から読み出す（Ｓ６１０）。次に、レーダチャート表示部２３は、評価点に応じてプロット位置を決定する（Ｓ６２０）。例えば、評価点が８０点の場合、レーダチャート表示部２３は中心Ｏと外縁Eまでの長さの８０％の長さを算出し、中心Ｏからその長さ離れた位置をプロット位置に決定する。
【０１００】
レーダチャート表示部２３はレーダチャートをインジケータに表示する（Ｓ６３０）。なお、評価点算出部２２がアイドリング時間を計測しているので、レーダチャート表示部２３はアイドリング時間を更新しながらインジケータに表示する。
【０１０１】
レーダチャート表示部２３は、レーダチャートを表示した状態で車速情報を監視し、車速がゼロの間（Ｓ６４０のＮｏ）、そのままレーダチャートを表示する。レーダチャートはそのまま表示してもよいし、所定の時間の経過後（例えば３０秒後等）に自動的にレーダチャート表示前の表示に切り替えてもよい。車速がゼロでなくなると（Ｓ６４０のＹｅｓ）、図１３の処理は終了し、発進評価点の算出処理が実行される。
【０１０２】
なお、Ｆｌａｇに発進状態が設定された場合、レーダチャートは表示されたままでも表示が終了されてもよい。
【０１０３】
以上説明したように、本実施例の燃費情報提供装置１００は、発進から停止という短いサイクル毎にレーダチャートを表示するので運転者がアクセル操作を顧みることが容易になる。また、レーダチャートの軸が発進、巡航、停車の３つなので、運転者のアクセル操作の意識に直結する項目のみを表示することができる。
【実施例２】
【０１０４】
実施例１では、発進から停車までのレーダチャートを表示したが、評価点の算出期間をより長くすることもできる。また、運転者が過去の評価点を確認したい場合もある。本実施例では、過去の評価点の算出期間をより長くしたり、運転者が望むタイミングでレーダチャートを表示する燃費情報提供装置１００について説明する。
【０１０５】
図１４は、本実施例の燃費情報提供装置１００の概略構成図の一例を示す。図１４において図２と同一部には同一の符号を付しその説明は省略する。本実施例のメータＥＣＵ１３は過去評価点記憶部２４を有する。過去評価点記憶部２４は、過去の各評価点が記憶された不揮発メモリ（例えば、ＲＯＭ（フラッシュメモリ））である。なお、必ずしも車両に記憶する必要はなく、車両からサーバに評価点を送信しておき、サーバが過去の評価点を記憶してもよい。
【０１０６】
図１５は過去評価点記憶部２４に記憶された評価点を模式的に示す図の一例である。図示するように、過去評価点記憶部２４には、イグニッション・オンからイグニッション・オフまでの発進評価点、巡航評価点、減速停車評価点が、時系列に記憶されている。
【０１０７】
過去評価点記憶部２４に過去の評価点が記憶されていることで、例えば、イグニッション・オンから現在まで（１トリップ）の評価点又はその平均等、過去の全ての評価点又はその平均等、をレーダチャートで表示することができる。  
また、図１５に示したように、本実施例の燃費情報提供装置１００は、メータＥＣＵ１３に接続されたスイッチ１６を有する。このスイッチ１６は、運転者によるレーダチャートの表示要求を受け付けるスイッチ１６である。したがって、メータＥＣＵ１３は、スイッチ１６の押下を検出すると、定められた態様でレーダチャートを表示する。
【０１０８】
また、メータＥＣＵ１３は、過去評価点算出部２５を有する。過去評価点算出部２５は、過去評価点記憶部２４に記憶された過去の評価点を用いて、いくつかの態様で過去評価点の平均を算出する。
【０１０９】
〔過去評価点の算出〕
過去評価点算出部２５は、Ｆｌａｇに待機状態が設定されると、１トリップの過去評価点を算出する。例えば、ＩＧオンから現在まで、車両が２回、発進〜停車を繰り返した場合、過去評価点算出部２５は次のようにして、過去評価点を算出する。
発進評価点の過去評価点＝（ＳＰ1＋ＳＰ2）／２
巡航評価点の過去評価点＝（ＣＰ1＋ＣＰ2）／２
減速停車評価点の過去評価点＝（ＢＰ1＋ＢＰ2）／２
したがって、本実施例では、発進〜停車までの評価点に加え、１トリップの過去評価点をレーダチャートに表示可能となる。本実施例のレーダチャートについては後述する。
【０１１０】
また、過去評価点算出部２５は、走行中であってもスイッチ１６の押下を検出すると、過去評価点を算出する。走行中であるので、Ｆｌａｇには発進状態、巡航状態、又は、減速停車状態のいずれかが設定されている。
【０１１１】
このように、運転者は所望のタイミングで過去評価点をレーダチャートに表示させることができる。この場合の過去評価点の算出方法は１トリップの場合と同じである。
【０１１２】
また、過去評価点算出部２５は、走行中であっても２回のスイッチ１６の押下を検出すると、第２の過去評価点を算出する。第２の過去評価点は、過去評価点記憶部２４に記憶された全ての評価点を用いて算出された過去の評価点の平均である。なお、次式においてＮはそれぞれの評価点の個数である。
発進評価点の第２の過去評価点＝｛（ＳＰ1〜ＳＰn）＋…＋（ＳＰ1〜ＳＰn）｝／Ｎ
巡航評価点の第２の過去評価点＝｛（ＣＰ1〜ＣＰn）＋…＋（ＣＰ1〜ＣＰn）｝／Ｎ
減速停車評価点の第２の過去評価点＝｛（ＢＰ1〜ＢＰn）＋…＋（ＢＰ1〜ＢＰn）｝／Ｎ
また、この他、所定のスイッチ１６の操作を受け付けて、過去の各評価点を所定の順番（新しい順、古い順、点数のよい順、点数の悪い順等）に表示することもできる。
【０１１３】
このように、運転者は所望のタイミングで過去の全ての評価点から求めた評価点の平均や過去の評価点をレーダチャートに表示させることができる。
【０１１４】
なお、過去評価点算出部２５は、運転者によるスイッチ１６の所定の操作（例えば、長押し）を検出すると、過去評価点記憶部２４に記憶された全ての評価点を消去する。したがって、運転者が給油の度にスイッチ１６から所定の操作を行えば、給油間の第２の過去評価点をレーダチャートで表示できる。
【０１１５】
〔レーダチャート〕  
図１６（ａ）〜図１６（ｃ）は本実施例のレーダチャートの一例を示す図である。図１６（ａ）〜（ｃ）はそれぞれ図１２（ａ）〜（ｃ）に対応している。
【０１１６】
図１６（ａ）のレーダチャートは、マーク３１〜３３以外に色変化領域３４〜３６を有する。色変化領域３４〜３６は、中心Ｏをゼロ点、外縁Eを１００点として、過去評価点が大きいほど外縁に近くなるように広さが決定される。すなわち、中心Ｏから過去評価点に対応する位置までが色変化領域３４〜３６となる。
【０１１７】
図１６（ｂ）のレーダチャートは、マーク３１〜３３以外に頂点が線で結ばれた三角形３７を有する。過去評価点は、中心Ｏをゼロ点、三角形の頂点Ｓを１００点として、過去評価点が大きいほど、頂点Ｓに近くなるように位置が決定される。また、この決定された位置は隣接する位置同士、線で結ばれて三角形３７を形成する。
【０１１８】
図１６（ｃ）のレーダチャートは、棒グラフにマーク４１〜４３を有する。マーク４１〜４３の位置は、左側の端部を０点、右側の端部を１００点として、過去評価点が大きいほど右側の端部に近くなるように決定される。
【０１１９】
図１６（ａ）〜（ｃ）のようなレーダチャートでは、運転者は一度に直近の「発進〜停車」までの評価点及び過去の例えば１トリップの過去評価点を把握することができる。よって、例えば、過去評価点に比べて直近の評価点がどうなったか等を容易に比較することができる。
【０１２０】
図１７は、レーダチャート表示部２３がレーダチャートを表示する手順を示すフローチャート図の一例である。
【０１２１】
レーダチャート表示部２３は、Ｆｌａｇの状態を関しており、Ｆｌａｇに待機状態が設定されると、レーダチャートの表示処理を開始する。
【０１２２】
まずレーダチャート表示部２３は３つの評価点をＲＡＭ等から読み出す（Ｓ６１０）。次に、レーダチャート表示部２３は、評価点に応じてプロット位置を決定する（Ｓ６２０）。
【０１２３】
次に、過去評価点算出部２５は、過去評価点を算出する（Ｓ７１０）。この過去評価点は１トリップの過去評価点である。
【０１２４】
そして、レーダチャート表示部２３は評価点と過去評価点を含むレーダチャートをインジケータに表示する（Ｓ７２０）。なお、評価点算出部２２がアイドリング時間を計測しているので、レーダチャート表示部２３はアイドリング時間を更新しながらインジケータに表示する。
【０１２５】
レーダチャート表示部２３は、レーダチャートを表示した状態で車速情報を監視し、車速がゼロの間（Ｓ６４０のＹｅｓ）、そのままレーダチャートを表示する。車速がゼロでなくなると（Ｓ６４０のＮｏ）、発進評価点の算出処理が実行される。
【０１２６】
この発進評価点の算出処理以降、Ｆｌａｇに発進状態、巡航状態又は減速停車状態が設定された状態となる（Ｓ６５０）。いずれの状態においても、過去評価点算出部２５は、スイッチ１６が操作されたか否かを監視している（Ｓ７３０）。そして、スイッチ１６の操作が検出されると、スイッチ１６の押下が１回か２回かを判定する（Ｓ７４０）。
【０１２７】
スイッチ１６の押下が１回の場合、過去評価点算出部２５は過去評価点を算出する（Ｓ７５０）。また、スイッチ１６の押下が２回の場合、過去評価点算出部２５は第２の過去評価点を算出する（Ｓ７６０）。すなわち、運転者が初期化していない過去の全ての評価点の平均を算出する。
【０１２８】
レーダチャート表示部２３は、過去評価点に応じてプロット位置を決定して、過去評価点又は第２の過去評価点を含むレーダチャートを表示する（Ｓ７７０）。なお、レーダチャートにすでに評価点が表示されている場合、評価点は表示したままでも過去評価点又は第２の過去評価点のみを表示してもよい。
【０１２９】
以上説明したように、本実施例の燃費情報提供装置１００は、実施例１の効果に加え、過去のアクセル操作についてもレーダチャートで評価することができる。また、運転者が望むタイミングでレーダチャートを表示することができる。直前の発進から停車までのアクセル操作を、過去のアクセル操作と比較することができる。
【符号の説明】
【０１３０】
１１    アクセル開度センサ
１２    車速センサ
１３    メータＥＣＵ
１４    エコインジケータ
１５    スピーカ
１６    スイッチ
１００  燃費情報提供装置
【図１】
0005278383.tif 000002
【図２】
0005278383.tif 000003
【図３】
0005278383.tif 000004
【図４】
0005278383.tif 000005
【図５】
0005278383.tif 000006
【図６】
0005278383.tif 000007
【図７】
0005278383.tif 000008
【図８】
0005278383.tif 000009
【図９】
0005278383.tif 000010
【図１０】
0005278383.tif 000011
【図１１】
0005278383.tif 000012
【図１２】
0005278383.tif 000013
【図１３】
0005278383.tif 000014
【図１４】
0005278383.tif 000015
【図１５】
0005278383.tif 000016
【図１６】
0005278383.tif 000017
【図１７】
0005278383.tif 000018